(57)【要約】【課題】印刷物の設定に関するユーザーの予備知識が乏しくても、印刷物の仕上がり状態を設定するのに必要な機能を容易に選択できるようにする。【解決手段】画像形成装置１０において、制御部３１は、仕上がりアイコンを記憶部２８から読み出して表示部２１の画面に表示させ、記憶部２８に記憶されている仕上がりアイコンと機能アイコンの対応関係に基づき、表示部２1の画面に表示させた仕上がりアイコンに対応付けられた機能アイコンを記憶部２８から読み出して、該仕上がりアイコンに対応付けて該機能アイコンを表示部２１に表示させる。【選択図】図２
2020113846.tif 000002
【特許請求の範囲】
【請求項１】
表示部と、
複数種の印刷物の仕上がり状態を示すそれぞれの仕上がりアイコン、前記各種の印刷物の仕上がり状態を設定するための複数の機能を示すそれぞれの機能アイコン、前記仕上がりアイコン毎に、仕上がりアイコンと該仕上がりアイコンが示す印刷物の仕上がり状態を設定するための機能を示すそれぞれの機能アイコンとの対応関係を記憶した記憶部と、
前記仕上がりアイコンを前記記憶部から読み出して前記表示部の画面に表示させ、前記記憶部に記憶されている前記対応関係に基づき、該仕上がりアイコンに対応付けられた機能アイコンを前記記憶部から読み出して、該仕上がりアイコンに対応付けて前記機能アイコンを前記表示部に表示させる制御部と、を備える画像形成装置。
【請求項２】
前記制御部は、前記表示部に、前記仕上がりアイコンと該仕上がりアイコンの対応付けを、前記仕上がりアイコンと前記機能アイコンとを結ぶライン画像により表示する請求項１に記載の画像形成装置。
【請求項３】
前記制御部は、前記仕上がりアイコンと前記機能アイコンを互いに異なる表示形態で前記表示部に表示させる請求項１又は請求項２に記載の画像形成装置。
【請求項４】
ユーザーにより操作される操作部を備え、
前記制御部は、前記仕上がりアイコンに対応付けて前記機能アイコンを前記表示部に表示させている状態で、前記操作部の操作により前記機能アイコンが指定されると、前記記憶部に記憶されている前記対応関係に基づき、該指定された機能アイコンに対応付けられた別の仕上がりアイコンを前記記憶部から読み出し、前記別の仕上がりアイコンを該機能アイコンに対応付けて前記表示部に更に表示させる請求項１に記載の画像形成装置。
【請求項５】
ユーザーから指示が入力される操作部を備え、
前記制御部は、前記仕上がりアイコンに対応付けて複数の機能アイコンを前記表示部に表示させている状態で、前記操作部の操作により前記各機能アイコンのいずれかを非表示とする指示が入力されると、前記記憶部に記憶されている前記対応関係に基づき、前記各機能アイコンのうちの非表示が指示された機能アイコンを除く別の機能アイコンに対応付けられた別の仕上がりアイコンを前記記憶部から読み出し、前記別の仕上がりアイコンを該別の機能アイコンに対応付けて前記表示部に表示させる請求項１に記載の画像形成装置。
【請求項６】
ユーザーから指示が入力される操作部を備え、
前記制御部は、前記仕上がりアイコンに対応付けて前記機能アイコンを前記表示部に表示させている状態で、前記操作部の操作により前記機能アイコンとは異なる別の機能アイコンの追加が指示されると、この時点で既に表示させている機能アイコンに、前記異なる別の機能アイコンの追加が可能であると判定した場合には、前記仕上がりアイコンに前記異なる別の機能アイコンを対応付けて前記表示部に表示させる請求項１に記載の画像形成装置。
【請求項７】
前記制御部は、前記操作部の操作により前記機能アイコンとは異なる別の機能アイコンの追加が指示された際に、前記記憶部に記憶されている前記対応関係に基づき、この時点で既に表示させている機能アイコンに、前記異なる別の機能アイコンの追加が不可であると判定した場合には、前記異なる別の機能アイコンの追加が不可である旨を示す画像を前記表示部に表示させる請求項６に記載の画像形成装置。
【発明の詳細な説明】
【技術分野】
【０００１】
本発明は、ユーザーが印刷物の仕上がり状態を設定する技術に関する。
【背景技術】
【０００２】
画像形成装置では、例えばコピーの実行に際し、両面印刷、記録紙に対する縦方向又は横方向の印刷、ステープルなどの複数の機能の設定が行われ、各機能の設定内容に応じて、画像が記録紙に印刷されたり、記録紙の後処理が行われたりする。
【０００３】
また、特許文献１に記載の画像形成装置では、コピーのプレビュー画像の表示に際し、初期のコピー条件と、ユーザーの操作により設定されたユーザーのコピー条件とを区別してプレビュー表示させ、ユーザーの操作によりコピー条件の解除や追加が指示されると、このコピー条件の解除や追加をコピーのプレビュー画像に反映させている。
【先行技術文献】
【特許文献】
【０００４】
【特許文献１】特開２０１０−１０８４３号公報
【発明の概要】
【発明が解決しようとする課題】
【０００５】
しかしながら、上記特許文献１では、ユーザーがコピーのプレビュー画像を見てコピー条件の解除や追加を行うが、ユーザーは、印刷物の仕上がりを望む状態にするためにどのような機能によりコピー条件を選択すべきかの判断が困難であり、コピーのプレビュー画像がユーザーの予想と全くかけ離れたものになることがあった。
【０００６】
本発明は、上記の事情に鑑みなされたものであり、印刷物の仕上がり状態を設定するのに必要な機能を容易に選択できるようにユーザーを支援することを目的とする。
【課題を解決するための手段】
【０００７】
本発明の一局面にかかる画像形成装置は、表示部と、複数種の印刷物の仕上がり状態を示すそれぞれの仕上がりアイコン、前記各種の印刷物の仕上がり状態を設定するための複数の機能を示すそれぞれの機能アイコン、前記仕上がりアイコン毎に、仕上がりアイコンと該仕上がりアイコンが示す印刷物の仕上がり状態を設定するための機能を示すそれぞれの機能アイコンとの対応関係を記憶した記憶部と、前記仕上がりアイコンを前記記憶部から読み出して前記表示部の画面に表示させ、前記記憶部に記憶されている前記対応関係に基づき、該仕上がりアイコンに対応付けられた機能アイコンを前記記憶部から読み出して、該仕上がりアイコンに対応付けて前記機能アイコンを前記表示部に表示させる制御部と、を備えるものである。
【発明の効果】
【０００８】
本発明によれば、印刷物の仕上がり状態を示す仕上がりアイコン、印刷物の仕上がり状態を設定するための機能を示す機能アイコンを表示するため、ユーザーの印刷設定に関する予備知識が乏しくても、印刷物の仕上がりを所望の状態に設定するのに必要な機能を容易に選択できるように、ユーザーを支援することができる。
【図面の簡単な説明】
【０００９】
【図１】本発明の一実施形態にかかる画像形成装置を示す断面図である。
【図２】本実施形態の画像形成装置の主要内部構成を示すブロック図である。
【図３Ａ】印刷物の仕上がり状態を見ながら、印刷物の仕上がり状態を設定するための機能を確認したり、機能の削除、追加、変更により印刷物の仕上がり状態を変更したりするための処理を示すフローチャートである。
【図３Ｂ】図３Ａに引き続く処理を示すフローチャートである。
【図４】画像形成装置における表示部の初期画面を示す図である。
【図５】印刷物の仕上がり状態を設定するための表示部の設定画面を示す図である。
【図６】仕上がりアイコン及び機能アイコンなどを予め記憶したデータテーブルを概念的に示す図である。
【図７】仕上がりアイコンと機能アイコンを関連付けて表示した表示部の設定画面を示す図である。
【図８】タッチ操作された機能アイコンと該機能アイコンに関連付けられた別の仕上がりアイコンを関連付けて表示した表示部の設定画面を示す図である。
【図９】タッチ操作された別の仕上がりアイコンと機能アイコンを関連付けて表示した表示部の設定画面を示す図である。
【図１０Ａ】仕上がりアイコンと機能アイコンを関連付けて表示した表示部の設定画面を示す図である。
【図１０Ｂ】機能アイコンのキャンセルにより入れ替えられた別の仕上がりアイコンと機能アイコンを関連付けて表示した表示部の設定画面を示す図である。
【図１１Ａ】仕上がりアイコンと機能アイコンを関連付けて表示した表示部の設定画面を示す図である。
【図１１Ｂ】機能アイコンの追加により入れ替えられた別の仕上がりアイコンと機能アイコンを関連付けて表示した表示部の設定画面を示す図である。
【図１２Ａ】仕上がりアイコンと機能アイコンを関連付けて表示した表示部の設定画面を示す図である。
【図１２Ｂ】機能アイコンの変更により入れ替えられた別の仕上がりアイコンと機能アイコンを関連付けて表示した表示部の設定画面を示す図である。
【発明を実施するための形態】
【００１０】
以下、本発明の一実施形態にかかる画像形成装置について図面を参照して説明する。
【００１１】
図１は、本発明の一実施形態にかかる画像形成装置を示す断面図である。図１に示すように本実施形態の画像形成装置１０は、例えばコピー機能、プリンター機能、ファクシミリ機能のような複数の機能を兼ね備えたＭＦＰ（複合機）である。この画像形成装置１０は、画像読取部１１と、画像形成部１２と、後処理部１８とを備えている。
【００１２】
画像読取部１１は、原稿の画像を光学的に読み取る撮像素子を有しており、この撮像素子のアナログ出力がデジタル信号に変換されて、原稿の画像を示す画像データが生成される。
【００１３】
画像形成部１２は、上記原稿の画像を記録紙に形成するものであり、マゼンタ用の画像形成ユニット３Ｍ、シアン用の画像形成ユニット３Ｃ、イエロー用の画像形成ユニット３Ｙ、及びブラック用の画像形成ユニット３Ｂｋを備えている。各画像形成ユニット３Ｍ、３Ｃ、３Ｙ、及び３Ｂｋのいずれにおいても、感光体ドラム４の表面を均一帯電させ、感光体ドラム４の表面を露光して、感光体ドラム４の表面に静電潜像を形成し、感光体ドラム４の表面の静電潜像をトナー像に現像して、感光体ドラム４の表面のトナー像を中間転写ベルト５に１次転写する。これにより、カラーのトナー像が中間転写ベルト５上に形成される。このカラーのトナー像は、中間転写ベルト５と２次転写ローラー６の間のニップ域Ｎにおいて給紙部１４から搬送路８を通じて搬送されてきた記録紙Ｐに２次転写される。
【００１４】
この後、定着装置１５で記録用紙Ｐが加熱及び加圧されて、記録用紙Ｐ上のトナー像が熱圧着により定着され、更に記録用紙Ｐが排出ローラー１６を通じて後処理部１８へと搬送される。
【００１５】
後処理部１８は、記録紙Ｐ又はその束に対してステープル処理や中折処理などを施して、記録紙Ｐ又はその束からなる印刷物を排出トレイ１９に排出する機構である。
【００１６】
図２は、本実施形態の画像形成装置の主要内部構成を示すブロック図である。図２に示すように本実施形態の画像形成装置１０は、画像読取部１１と、画像形成部１２と、後処理部１８と、表示部２１と、操作部２２と、タッチパネル２３と、記憶部２８と、制御ユニット２９とを備えている。これらの構成要素は、互いにバスを通じてデータ又は信号の送受信が可能とされている。
【００１７】
表示部２１は、液晶ディスプレイ（ＬＣＤ：Liquid Crystal Display）や有機ＥＬ（ＯＬＥＤ：Organic Light-Emitting Diode）ディスプレイなどから構成される。操作部２２は、テンキー、決定キー、スタートキーなどの物理キーを備えている。
【００１８】
表示部２１の画面には、タッチパネル２３が配置されている。タッチパネル２３は、所謂抵抗膜方式や静電容量方式などのタッチパネルであって、タッチパネル２３に対するユーザーの指などの接触（タッチ）をその接触位置とともに検知して、その接触位置の座標を示す検知信号を制御ユニット２９の後述する制御部３１などに出力する。このタッチパネル２３は、表示部２１の画面に対するユーザー操作が入力される操作部としての役割を果たす。
【００１９】
記憶部２８は、ＳＳＤ（Solid State Drive）、ＨＤＤ（Hard Disk Drive）などの大容量の記憶装置であって、各種のアプリケーションプログラムや種々のデータを記憶している。
【００２０】
制御ユニット２９は、プロセッサー、ＲＡＭ(Random Access Memory）、及びＲＯＭ（Read Only Memory）などから構成される。プロセッサーは、例えばＣＰＵ（Central Processing Unit）、ＡＳＩＣ（Application Specific Integrated Circuit）、又はＭＰＵ（Micro Processing Unit）等である。制御ユニット２９は、上記のＲＯＭ又は記憶部２８に記憶された制御プログラムが上記のプロセッサーで実行されることにより、制御部３１として機能する。
【００２１】
制御部３１は、画像形成装置１０を統括的に制御する。制御ユニット２９は、画像読取部１１、画像形成部１２、後処理部１８、表示部２１、操作部２２、タッチパネル２３、及び記憶部２８などと接続されている。制御部３１は、これらの構成要素の動作制御や、該各構成要素との間での信号またはデータの送受信を行う。
【００２２】
制御部３１は、画像形成装置１０による画像形成に必要な各種の処理などを実行する処理部としての役割を果たす。また、制御部３１は、タッチパネル２３から出力される検出信号あるいは操作部２２の物理キーの操作に基づき、ユーザーにより入力された操作指示を受け付ける。また、制御部３１は、表示部２１の表示動作を制御する機能を有する。
【００２３】
このような構成の画像形成装置１０において、ユーザーは、操作部２２又はタッチパネル２３を操作することによりコピージョブを選択して、コピージョブの実行を指示する。制御部３１は、コピージョブの実行の指示に応じて、画像読取部１１により原稿の画像を読取らせ、画像形成部１２により原稿の画像を記録紙に記録させ、後処理部１８により記録紙に対する後処理を行わせる。
【００２４】
また、制御部３１は、コピージョブの実行に先立ち、表示部２１の画面上にコピージョブによる印刷物（記録紙又はその束）の仕上がり状態と、印刷物の仕上がり状態を設定するための機能とを表示させる。制御部３１は、タッチパネル２３を介してユーザーから入力される、機能の削除、追加、変更により印刷物の仕上がり状態を変更する指示の入力を受け付ける。
【００２５】
次に、印刷物の仕上がり状態と、印刷物の仕上がり状態を設定するための機能とを表示させる処理を、図３Ａ、図３Ｂに示すフローチャートなどを参照して詳しく説明する。
【００２６】
制御部３１が、図４に例を示すような初期画面Ｇ１を表示させているものとする。この初期画面Ｇ１には、それぞれの機能に対応付けられた複数の機能キー４１ａ〜４１ｈ等が表示されている。この初期画面Ｇ１が表示されているときに、ユーザーが印刷物の仕上がり状態を設定するための機能キー４１ｈにタッチ操作すると、制御部３１は、タッチパネル２３を通じて、印刷物の仕上がり状態を設定する処理を開始する指示を受け付け、図５に例を示すような、印刷物の仕上がり状態を設定するための設定画面Ｇ２を表示部２１に表示させる（Ｓ１０１）。
【００２７】
図５に示す設定画面Ｇ２には、複数種の印刷物の仕上がり状態を示すそれぞれの仕上がりアイコンＦ１、Ｆ２、……、及び各種の印刷物の仕上がり状態を設定するための複数の機能を示すそれぞれの機能アイコンＫ１、Ｋ２、……が配列されて表示される。また、各仕上がりアイコンＦ１、Ｆ２、……と各機能アイコンＫ１、Ｋ２、……は、互いに異なる表示形態（本実施形態では一例として異なる色）で表示されている。各機能アイコンに対応付けられており各機能アイコンにより示される機能は、例えば、機能アイコンＫ１は中綴じ、機能アイコンＫ２は両面印刷、機能アイコンＫ３は縦向きの印刷、機能アイコンＫ４は横向きの印刷、機能アイコンＫ５はステープル、機能アイコンＫ６は高品質印刷、機能アイコンＫ７は2 in 1、機能アイコンＫ８は縦綴じ、機能アイコンＫ９は横綴じ、機能アイコンＫ１０は１点綴じ、機能アイコンＫ１１は縮小である。仕上がりアイコンによって示される印刷物の仕上がり状態は、少なくとも１つの機能アイコンに対応付けられた機能の実行により達成される。
【００２８】
このような設定画面Ｇ２は、例えば記憶部２８に予め記憶されている図６に例を示すデータテーブルＤＴが示す対応関係に基づき、制御部３１により表示部２１に表示される。図６に示すデータテーブルＤＴには、各仕上がりアイコンＦ１、Ｆ２、……の各識別子ＦＩＤに対して、該各仕上がりアイコンＦ１、Ｆ２、……が対応付けて記憶されている。更に、データテーブルＤＴには、各仕上がりアイコンＦ１、Ｆ２、……毎に、仕上がりアイコンによって示される印刷物の仕上がり状態を設定するための機能を示す機能アイコンの識別子ＫＩＤが記憶されている。また、データテーブルＤＴには、各機能アイコンＫ１、Ｋ２、……毎に、機能アイコンとの組み合わせが不可能な別の機能アイコンの識別子ＫＩＤが記憶されている。各仕上がりアイコンＦ１〜Ｆ４及び各機能アイコンＫ１〜Ｋ１１を示す各画像もデータテーブルＤＴに記憶されている。制御部３１は、各仕上がりアイコンＦ１〜Ｆ４及び各機能アイコンＫ１〜Ｋ１１の画像をデータテーブルＤＴから読み出して表示部２１の設定画面Ｇ２に表示させる。
【００２９】
ここで、ユーザーが表示部２１の設定画面Ｇ２における所望の仕上がりアイコンにタッチ操作して、当該仕上がりアイコンを選択したものとする。このとき、制御部３１は、タッチパネル２３を通じて、当該仕上がりアイコンを選択する指示の入力を受け付ける（Ｓ１０２）。仕上がりアイコンＦ１が選択されたものとすると（Ｓ１０２「Ｙｅｓ」）、当該選択に従って、制御部３１は、図７に例を示すように、仕上がりアイコンＦ１を表示部２１の設定画面Ｇ２の空きスペースに移動させてハイライト表示させる（Ｓ１０３）。ハイライト表示は、アイコンを点滅させ、或いは、アイコンの輝度を高くすること等による表示である（以下、仕上がりアイコンＦ１が選択された場合を例にして説明する）。
【００３０】
また、制御部３１は、上記選択された仕上がりアイコンに対応付けられた各機能アイコンの識別子ＫＩＤをデータテーブルＤＴから検索し、これらの識別子ＫＩＤに対応付けられた各機能アイコンの画像をデータテーブルＤＴから読み出して、該各機能アイコンを表示部２１の設定画面Ｇ２における仕上がりアイコンＦ１の周囲に配置して表示させ、仕上がりアイコンＦ１と機能アイコンを結ぶラインの画像（以下、ラインＬという）を、当該機能アイコン別に表示させる。これにより、ユーザーは、仕上がりアイコンＦ１によって示される印刷物の仕上がり状態を設定するために実行が必要な機能を、上記のように表示される各機能アイコンが示す画像に基づいて知ることができる。
【００３１】
図７に示す表示部２１の設定画面Ｇ２では、仕上がりアイコンＦ１に関連付けて各機能アイコンＫ１、Ｋ２、Ｋ３、Ｋ５を表示する例を示している。機能アイコンＫ１は、中綴じを示すものであり、この中綴じの機能は後処理部１８により実行される。機能アイコンＫ２は、両面印刷を示すものであり、この両面印刷の機能は画像形成部１２により実行される。機能アイコンＫ３は、記録紙に対する縦向きの印刷を示すものであり、この縦向きの印刷の機能は画像形成部１２により実行される。機能アイコンＫ５は、ステープルを示すものであり、このステープルの機能は後処理部１８により実行される。
【００３２】
この後、ユーザーが操作部２２のスタートキーを操作すると、制御部３１は、コピー動作実行指示を受け付け（Ｓ１０４「Ｙｅｓ」）、ハイライト表示させている仕上がりアイコンＦ１により示されている仕上がり状態を画像形成の仕上がり状態として設定する。制御部３１は、当該コピー動作実行指示に従って、画像読取部１１により複数の原稿の画像を順次読取らせ、各機能アイコンＫ１、Ｋ２、Ｋ３、Ｋ５によって示される中綴じ、両面印刷、縦向きの印刷、ステープルの各機能を実行すべく、画像形成部１２により該各原稿の画像をそれぞれの記録紙の両面に形成させ、後処理部１８により該各記録紙に対してステープルの処理を行わせ、仕上がりアイコンＦ１によって示される印刷物の仕上がり状態からなる印刷物を作成する（Ｓ１０５）。Ｓ１０５の後、処理は終了する。
【００３３】
また、ユーザーが、操作部２２のスタートキーを操作せずに、仕上がりアイコンに関連付けられている任意の機能アイコンにタッチ操作したものとする。この場合、制御部３１は、コピー動作実行指示の実行指示を受け付けることなく（Ｓ１０４「Ｎｏ」）、タッチパネル２３を通じて、上記タッチ操作された機能アイコンを選択する指示を受け付ける（Ｓ１０６「Ｙｅｓ」）。
【００３４】
このとき、制御部３１は、当該選択された機能アイコンの識別子ＫＩＤに対応付けられた別の仕上がりアイコンをデータテーブルＤＴから検索して、当該別の仕上がりアイコンを、表示部２１の設定画面Ｇ２における上記選択された機能アイコンの周囲に配置して表示させ（Ｓ１０７）、当該別の仕上がりアイコンと上記選択された機能アイコンを結ぶラインＬを表示させる（Ｓ１０７）。この場合、上記選択された機能アイコンの識別子ＫＩＤに対応付けられた仕上がりアイコンＦ１が既に表示されているので、制御部３１は、当該仕上がりアイコンＦ１は重複して表示させず、上記別の仕上がりアイコンのみを追加して表示させる。また、制御部３１は、上記選択された機能アイコンの識別子ＫＩＤに対応付けられた別の仕上がりアイコンが多く存在する場合は、例えば、図６のデータテーブルＤＴにおける複数の別の仕上がりアイコンの配列順位の最も小さい方から３つ目までを選択し、当該選択した３つの別の仕上がりアイコンを、表示部２１の設定画面Ｇ２における任意の機能アイコンの周囲に配置して表示し、当該選択した３つの別の仕上がりアイコンと、上記選択された機能アイコンを結ぶラインＬを表示する。
【００３５】
例えば、図７に示す設定画面Ｇ２において、ステープルを示す機能アイコンＫ５がタッチ操作でユーザーにより選択された場合は、制御部３１は、図８に示すように、機能アイコンＫ５の識別子ＫＩＤに対応付けられた別の各仕上がりアイコンＦ２、Ｆ３、Ｆ４をデータテーブルＤＴから検索し、当該別の各仕上がりアイコンＦ２、Ｆ３、Ｆ４を表示部２１の設定画面Ｇ２における機能アイコンＫ５の周囲に配置して表示し、当該別の各仕上がりアイコンＦ２、Ｆ３、Ｆ４と機能アイコンＫ５を結ぶそれぞれのラインＬを表示する。これにより、上記選択された機能アイコンが示す機能により設定することが可能な、印刷物の仕上がり状態をユーザーに把握させることができる。
【００３６】
この状態で、ユーザーが更に、Ｓ１０７で表示された上記別の仕上がりアイコンにタッチ操作した場合、制御部３１は、タッチパネル２３を通じて、タッチされた上記別の仕上がりアイコンを選択する指示を受け付け（Ｓ１０８「Ｙｅｓ」）、仕上がりアイコンＦ１のハイライト表示を停止させて、当該選択された別の仕上がりアイコンを表示部２１の設定画面Ｇ２上でハイライト表示させる。更に、制御部３１は、当該選択された別の仕上げアイコンに対応付けられた更なる機能アイコンの識別子ＫＩＤをデータテーブルＤＴから検索して、この識別子ＫＩＤに対応付けられた当該更なる機能アイコンの画像をデータテーブルＤＴから読み出し、当該更なる機能アイコンを上記別の仕上がりアイコンの周囲に配置して表示させ、上記別の仕上がりアイコンと機能アイコンを結ぶラインＬを表示させる（Ｓ１２０）。
【００３７】
Ｓ１２０では、図９に例を示すように、制御部３１は、仕上がりアイコンＦ１のハイライト表示を停止させ、仕上がりアイコンＦ３をハイライト表示させる。更に、制御部３１は、仕上がりアイコンＦ３に関連付けられている各機能アイコンＫ２、Ｋ４、Ｋ９（仕上がりアイコンＦ３に既に関連付けられている機能アイコンＫ５を除く）を追加表示させ、仕上がりアイコンＦ３と各機能アイコンＫ２、Ｋ４、Ｋ５、Ｋ９を結ぶそれぞれのラインＬを表示させる。各機能アイコンＫ２、Ｋ５は、上述した通りである。また、機能アイコンＫ４は、記録紙に対する横向きの印刷を示すものであり、この横向きの印刷の機能は画像形成部１２により実行される。機能アイコンＫ９は、横綴じを示すものであり、この横綴じの機能は後処理部１８により実行される。
【００３８】
この状態で、ユーザーが操作部２２のスタートキーを操作すると、制御部３１は、コピー動作実行指示を受け付け（Ｓ１０４「Ｙｅｓ」）、ハイライト表示させている仕上がりアイコンＦ３により示されている仕上がり状態を画像形成の仕上がり状態として設定する。制御部３１は、当該コピー動作実行指示に従って、画像読取部１１により複数の原稿の画像を順次読取らせ、各機能アイコンＫ２、Ｋ４、Ｋ５、Ｋ９によって示される、両面印刷、横向きの印刷、ステープル、横綴じの各機能を実行すべく、画像形成部１２により該各原稿の画像をそれぞれの記録紙の両面に形成させ、後処理部１８により該各記録紙に対してステープルの処理を行わせ、仕上がりアイコンＦ３によって示される印刷物の仕上がり状態からなる印刷物を作成する（Ｓ１０５）。Ｓ１０５の後、処理は終了する。
【００３９】
なお、制御部３１は、Ｓ１０８において、Ｓ１０７で表示された上記別の仕上がりアイコンがタッチ操作されなかった場合には（Ｓ１０８「Ｎｏ」）、上記別の仕上がりアイコンをハイライト表示させず、別の仕上がりアイコンに関連付けられている機能アイコンも表示させず、仕上がりアイコンＦ１のハイライト表示を継続し、処理はＳ１０４に移る。
【００４０】
この後、制御部３１は、Ｓ１０４でコピー動作の実行指示が受け付けられず（Ｓ１０４「Ｎｏ」）、更に別の機能アイコンがユーザーにより再度タッチ操作され、当該更に別の機能アイコンの選択指示を受け付けた場合（Ｓ１０６「Ｙｅｓ」）、当該更に別の機能アイコンについてＳ１０７の処理を繰り返す。
【００４１】
次に、制御部３１が、Ｓ１０４においてコピー動作の実行指示を受け付けず、Ｓ１０６においていずれの機能アイコンについても選択指示を受け付けず、ユーザーが、仕上がりアイコンと機能アイコンを結ぶラインＬに対して該ラインＬを横切るようなスライド操作を表示部２１の設定画面Ｇ２上で行った場合を説明する。
【００４２】
制御部３１は、タッチパネル２３を通じて、仕上がりアイコンと機能アイコンを結ぶラインＬを横切るスライド操作を検出すると（Ｓ１０９「Ｙｅｓ」）。当該仕上がりアイコン（元の仕上がりアイコン）及び当該機能アイコンの関連付け表示をキャンセルし、この関連付け表示がキャンセルされた機能アイコンを除く別の機能アイコンの識別子ＫＩＤをデータテーブルＤＴから検索する。そして、制御部３１は、これらの識別子ＫＩＤの全てに対応付けられている別の仕上がりアイコンをデータテーブルＤＴから読み出す。制御部３１は、表示部２１の設定画面Ｇ２上において、上記元の仕上がりアイコンを非表示とし、当該別の仕上がりアイコンをハイライト表示させる（Ｓ１１０）。制御部３１は、当該別の機能アイコンを、当該別の仕上がりアイコンの周囲に配置して表示させる。そして、制御部３１は、当該別の仕上がりアイコンと、当該別の機能アイコン（関連付け表示がキャンセルされた機能アイコンを除く）とを結ぶそれぞれのラインＬを表示させる。なお、関連付け表示とは、仕上がりアイコンの周辺に機能アイコンを表示し、これら両アイコンを結ぶラインＬを表示させることをいう。
【００４３】
このとき、制御部３１は、データテーブルＤＴに基づいて、当該別の仕上がりアイコンに関連付けられている更に他の機能アイコンが存在すると判断した場合は、当該他の機能アイコンを、当該別の仕上がりアイコンの周囲に更に表示させ、当該別の仕上がりアイコンと当該他の機能アイコンとを結ぶそれぞれのラインＬを表示させる。
【００４４】
また、関連付け表示がキャンセルされなかった全ての別の機能アイコンの識別子ＫＩＤに対応付けられた別の仕上がりアイコンが複数存在する場合がある。この場合、制御部３１は、例えば図６のデータテーブルＤＴにおける配列順位の最も小さい別の仕上がりアイコンを選択して、この選択した別の仕上がりアイコンを表示部２１の設定画面Ｇ２における元の仕上がりアイコンＦ１と入れ替えて表示させ（ハイライト表示）、該別の仕上がりアイコンと該別の機能アイコンなどを結ぶラインＬを表示させる。
【００４５】
例えば、図１０Ａに示すように仕上がりアイコンＦ１と各機能アイコンＫ１、Ｋ２、Ｋ３、Ｋ５が関連付けられている状態で、仕上がりアイコンＦ１と機能アイコンＫ１を関連付けて結ぶラインＬを横切るスライド操作が行われた場合、制御部３１は、仕上がりアイコンＦ１に対する機能アイコンＫ１の関連付け表示をキャンセルし、当該仕上がりアイコンＦ１との関連付け表示がキャンセルされなかった別の各機能アイコンＫ２、Ｋ３、Ｋ５の識別子ＫＩＤをデータテーブルＤＴから検索し、当該検索された各識別子ＫＩＤに対応付けられた別の仕上がりアイコン（ここでは仕上がりアイコンＦ２）をデータテーブルＤＴから読み出し、図１０Ｂに示すように、当該別の仕上がりアイコンＦ２を上記元の仕上がりアイコンＦ１と入れ替えて表示させる（ハイライト表示）。
【００４６】
更に、制御部３１は、当該別の各機能アイコンＫ２、Ｋ３、Ｋ５を別の仕上がりアイコンＦ２の周囲に配置して表示し、別の仕上がりアイコンＦ２と該別の各機能アイコンＫ２、Ｋ３、Ｋ５を結ぶそれぞれのラインＬを表示させる。また、別の仕上がりアイコンＦ２に他の機能アイコンＫ８の識別子ＫＩＤが更に関連付けられているとすると、制御部３１は、当該他の機能アイコンＫ８をデータテーブルＤＴから読み出して、当該他の機能アイコンＫ８を別の仕上がりアイコンＦ２の周囲に配置して表示させ、別の仕上がりアイコンＦ２と該他の機能アイコンＫ８を結ぶそれぞれのラインＬを表示させる。
【００４７】
なお、Ｓ１１０の後は、処理はＳ１０４に移行する。このように仕上がりアイコンＦ２がハイライト表示されている状態で、このＳ１０４において、制御部３１は、ユーザーによる操作部２２のスタートキーの操作に基づいて、コピー動作の実行指示の入力を受け付けると（Ｓ１０４「Ｙｅｓ」）、画像読取部１１により複数の原稿の画像を順次読取らせ、各機能アイコンＫ２、Ｋ３、Ｋ５、Ｋ８によって示される両面印刷、縦向きの印刷、ステープル、縦綴じの機能を実行して、画像形成部１２及び後処理部１８により、仕上がりアイコンＦ２によって示される、印刷物の仕上がり状態を作成する（Ｓ１０５）。この後、処理は終了する。
【００４８】
次に、制御部３１が、Ｓ１０４においてコピー動作の実行指示を受け付けず、Ｓ１０６においていずれの機能アイコンについても選択指示を受け付けず、ユーザーが、表示部２１の設定画面Ｇ２における任意の機能アイコンに対するドラッグアンドドロップの操作により該任意の機能アイコンをハイライト表示されている仕上がりアイコンの近傍に配置する操作を行った場合の処理について説明する。ここでは、ユーザーによって、仕上がりアイコンと機能アイコンを結ぶラインＬに対して該ラインＬを横切るスライド操作が行われていないものとする（Ｓ１０９「Ｎｏ」）。
【００４９】
このとき、表示画面Ｇ２に並列表示させている機能アイコンＫ１〜Ｋ１１のうち、任意の機能アイコンに対するユーザーによるドラッグアンドドロップの操作が行われ、制御部３１は、タッチパネル２３を通じて、ハイライト表示されている仕上がりアイコンの近傍位置に当該任意の機能アイコンがドラッグされたことを検出すると、当該検出されたドラッグ操作を、当該任意の機能アイコン（以下、追加対象機能アイコンという）を追加して当該仕上がりアイコンに関連付け表示させる指示として受け付ける（Ｓ１１１「Ｙｅｓ」）。
【００５０】
そして、制御部３１は、当該仕上がりアイコンに対して既に関連付けられている機能アイコン毎に、該機能アイコンによって示される機能と、追加対象機能アイコンによって示される機能との組み合わせの可否を判定する（Ｓ１１２）。制御部３１は、既に当該仕上がりアイコンに関連付けられている各機能アイコンによって示されるそれぞれの機能と、上記追加対象機能アイコンによって示される機能の組み合わせが可能か否かを判定する（Ｓ１１２）。制御部３１は、データテーブルＤＴに、上記追加対象機能アイコンの識別子ＫＩＤ及び既に関連付けられている各機能アイコンの識別子ＫＩＤの全ての識別子ＫＩＤに共通して対応付けられた別の仕上がりアイコンがある場合に、当該組み合わせが可能と判定し、当該全ての識別子ＫＩＤに共通して対応付けられた別の仕上がりアイコンがない場合に組み合わせが不可能と判定する。
【００５１】
制御部３１は、当該組み合わせが可能と判定した場合（Ｓ１１２「可」）、上記全ての識別子ＫＩＤに共通して対応付けられた別の仕上がりアイコンをデータテーブルＤＴから読み出し、読み出した当該別の仕上がりアイコンを表示部２１の設定画面Ｇ２上で元の仕上がりアイコンＦ１と入れ替えて表示させ（ハイライト表示）、既に上記仕上がりアイコンに関連付けられている各機能アイコン及び上記追加対象機能アイコンを、当該別の仕上がりアイコンの周囲に配置して表示させ、上記仕上がりアイコンに関連付けられている各機能アイコン及び上記追加対象機能アイコンと、当該別の仕上がりアイコンとを結ぶそれぞれのラインＬを表示させる（Ｓ１１３）。
【００５２】
例えば、仕上がりアイコンＦ１と各機能アイコンＫ１、Ｋ２、Ｋ３、Ｋ５が関連付けられている状態で、図１１Ａに示すように、任意の機能アイコンＫ６が仕上がりアイコンＦ１の近傍に配置された場合、仕上がりアイコンＦ１に対して既に関連付けられている各機能アイコンＫ１、Ｋ２、Ｋ３、Ｋ５によって示されるそれぞれの機能と追加対象機能アイコンＫ６によって示される機能との組み合わせが可能であれば、該各識別子ＫＩＤに対応付けられた別の仕上がりアイコンＦ１１がデータテーブルＤＴから読み出されて、図１１Ｂに示すように、この別の仕上がりアイコンＦ１１が元の仕上がりアイコンＦ１と入れ替えられて表示され（ハイライト表示）、該各機能アイコンＫ１、Ｋ２、Ｋ３、Ｋ５、Ｋ６が別の仕上がりアイコンＦ１１の周囲に配置されて表示され、別の仕上がりアイコンＦ１１と該各機能アイコンＫ１、Ｋ２、Ｋ３、Ｋ５、Ｋ６を結ぶそれぞれのラインＬが表示される。各機能アイコンＫ１、Ｋ２、Ｋ３、Ｋ５は、上述した通りである。また、機能アイコンＫ６は、高品質印刷を示すものであり、この高品質印刷の機能は画像形成部１２により実行される。
【００５３】
なお、Ｓ１１３の後は、処理はＳ１０４に移行する。このように仕上がりアイコンＦ１１がハイライト表示されている状態で、このＳ１０４において、制御部３１は、ユーザーによる操作部２２のスタートキーの操作に基づいて、コピー動作の実行指示の入力を受け付けると（Ｓ１０４「Ｙｅｓ」）、画像読取部１１により複数の原稿の画像を順次読取らせ、各機能アイコンＫ１、Ｋ２、Ｋ３、Ｋ５、Ｋ６によって示される中綴じ、両面印刷、縦向きの印刷、ステープル、高品質印刷に応じて、画像形成部１２により該各原稿の画像をそれぞれの記録紙の両面に記録させ、後処理部１８により該各記録紙に対してステープルの機能を実行して、画像形成部１２及び後処理部１８により、仕上がりアイコンＦ１１によって示される、印刷物の仕上がり状態を作成する（Ｓ１０５）。この後、処理は終了する。
【００５４】
尚、制御部３１は、任意の機能アイコンに対するドラッグアンドドロップの操作を検出しても、このドラッグアンドドロップ操作により該任意の機能アイコンがハイライト表示されている仕上がりアイコンの近傍に配置されなければ（Ｓ１１１「Ｎｏ」）、Ｓ１１２以降の処理を行うことなく、よって元の仕上がりアイコンＦ１のハイライト表示を継続させたまま、Ｓ１０４の処理に戻る。
【００５５】
また、制御部３１は、仕上がりアイコンに対して既に関連付けられているいずれかの機能アイコンによって示される機能と上記追加対象機能アイコンによって示される機能の組み合わせが否と判定すると（Ｓ１１２「否」）、上記追加対象機能アイコンによって示される機能との組み合わせが不可能な機能を示す機能アイコンを表示部２１の設定画面Ｇ２上でハイライト表示させて、この組み合わせに対する警告を行う（Ｓ１１４）。
【００５６】
このとき、ユーザーが上記追加対象機能アイコンに対するドラッグアンドドロップの操作で、上記追加対象機能アイコンをその組み合わせが否と判定された機能アイコンと重なる位置まで移動させると、制御部３１は、タッチパネル２３を通じて、上記組み合わせが不可能な機能アイコンの関連付け表示をキャンセルする指示を受け付ける（Ｓ１１５「Ｙｅｓ」）。制御部３１は、当該組み合わせが不可能な機能アイコンの関連付け表示をキャンセルする。制御部３１は、更に、仕上がりアイコンに対して既に関連付けられているいずれかの機能アイコンであって上記組み合わせが不可能な機能アイコン以外の機能アイコンの識別子ＫＩＤ及び上記追加対象機能アイコンの識別子ＫＩＤの全てに共通して対応付けられた別の仕上がりアイコンをデータテーブルＤＴから検索して、当該共通して対応付けられた別の仕上がりアイコンを、表示部２１の設定画面Ｇ２上で、元の仕上がりアイコンと入れ替えて表示させ（ハイライト表示）、上記組み合わせが不可能な機能アイコン以外の機能アイコン、及び上記追加対象機能アイコンを、別の仕上がりアイコンの周囲に配置して表示させ、当該別の仕上がりアイコンと、上記組み合わせが不可能な機能アイコン以外の機能アイコン及び上記追加対象機能アイコンとを結ぶそれぞれのラインＬを表示させる（Ｓ１１６）。
【００５７】
例えば、図１２Ａに示すように仕上がりアイコンＦ１と各機能アイコンＫ１、Ｋ２、Ｋ３、Ｋ５が関連付けられている状態で、任意の機能アイコンＫ１１が仕上がりアイコンＦ１の近傍に配置された場合、仕上がりアイコンＦ１に対して既に関連付けられている機能アイコンＫ２によって示される機能とその任意の機能アイコンＫ１１によって示される機能との組み合わせが否であれば、機能アイコンＫ２がハイライト表示されて、この組み合わせに対する警告がされる。この状態で、ドラッグアンドドロップの操作により任意の機能アイコンＫ１１がその組み合わせが否と判定された機能アイコンＫ２と重なる位置まで移動されると、機能アイコンＫ２が非表示とされ、この代わりに、任意の機能アイコンＫ１１が追加表示されて、各機能アイコンＫ１、Ｋ３、Ｋ５、Ｋ１１の全ての識別子ＫＩＤに共通して対応付けられた別の仕上がりアイコンＦ１２がデータテーブルＤＴから読み出され、図１２Ｂに示すように、この別の仕上がりアイコンＦ１２が元の仕上がりアイコンＦ１と入れ替えられた上でハイライト表示され、該各機能アイコンＫ１、Ｋ３、Ｋ５、Ｋ１１が別の仕上がりアイコンＦ１２の周囲に配置されて表示され、別の仕上がりアイコンＦ１２と該各機能アイコンＫ１、Ｋ３、Ｋ５、Ｋ１１を結ぶそれぞれのラインＬが表示される。各機能アイコンＫ１、Ｋ３、Ｋ５は、上述した通りである。また、機能アイコンＫ１１は、縮小印刷を示すものであり、この縮小印刷の機能が制御部３１及び画像形成部１２により実行される。
【００５８】
Ｓ１１６の後は、処理はＳ１０４に移行する。このように仕上がりアイコンＦ１１がハイライト表示されている状態で、このＳ１０４において、制御部３１は、ユーザーによる操作部２２のスタートキーの操作に基づいて、コピー動作の実行指示の入力を受け付けると（Ｓ１０４「Ｙｅｓ」）、画像読取部１１により複数の原稿の画像を順次読取らせ、各機能アイコンＫ１、Ｋ３、Ｋ５、Ｋ１１によって示される中綴じ、縦向きの印刷、ステープル、縮小印刷に応じて、画像形成部１２により該各原稿の画像をそれぞれの記録紙の片面に記録させ、後処理部１８により該各記録紙に対してステープルの処理を行わせるなどして、仕上がりアイコンＦ１２によって示される、印刷物の仕上がり状態を作成する（Ｓ１０５）。この後、処理は終了する。
【００５９】
尚、制御部３１が、タッチパネル２３を通じて、上記追加対象機能アイコンが、その組み合わせが否と判定された機能アイコンに重なる位置まで移動されず、上記組み合わせが否と判定された機能アイコンをキャンセルする指示を受け付けない場合は（Ｓ１１５「Ｎｏ」）、Ｓ１１６の処理を行うことなく、処理はＳ１０４に戻る。
【００６０】
このように本実施形態では、仕上がりアイコンを表示部２１の設定画面Ｇ２に表示させた状態で、該仕上がりアイコンによって示される印刷物の仕上がり状態を設定するための機能を示す機能アイコンを該仕上がりアイコンに対応付けて表示部２１の設定画面Ｇ２に表示させ、機能アイコンの削除、追加、変更に応じて、印刷物の仕上がり状態を示す仕上がりアイコンを変更する。これにより、仕上がりアイコンによって示される印刷物の仕上がり状態を設定するために必要な機能を示す機能アイコンが逐次に変更されて表示されるため、この表示を視認することにより、ユーザーは、印刷物の設定に関する予備知識が乏しくても、印刷物の仕上がり状態を容易に設定することが可能になる。
【００６１】
尚、図１乃至図１２Ｂを用いて上記実施形態により示した構成及び処理は、本発明の一実施形態に過ぎず、本発明を当該構成及び処理に限定する趣旨ではない。
【符号の説明】
【００６２】
１０    画像形成装置
１１      画像読取部
１２      画像形成部
２１      表示部
２２      操作部
２３      タッチパネル
２８      記憶部
２９      制御ユニット
３１      制御部
【図１】
2020113846.tif 000003
【図２】
2020113846.tif 000004
【図３Ａ】
2020113846.tif 000005
【図３Ｂ】
2020113846.tif 000006
【図４】
2020113846.tif 000007
【図５】
2020113846.tif 000008
【図６】
2020113846.tif 000009
【図７】
2020113846.tif 000010
【図８】
2020113846.tif 000011
【図９】
2020113846.tif 000012
【図１０Ａ】
2020113846.tif 000013
【図１０Ｂ】
2020113846.tif 000014
【図１１Ａ】
2020113846.tif 000015
【図１１Ｂ】
2020113846.tif 000016
【図１２Ａ】
2020113846.tif 000017
【図１２Ｂ】
2020113846.tif 000018